(57)【要約】    【課題】      撮影実行者が撮影機能を利用する場合に盗撮行為をするのを防止ないしは阻止すること。    【解決手段】  撮影実行者側の移動局装置１００では、撮影実行者が撮影機能部１０３を操作すると撮影機能部１０３が特定信号送信制御部１０４に信号を送り、特定信号送信制御部１０４に特定信号の生成や送信制御を行わせる。特定信号はアンテナ１０５から一回送信される。特定信号を受信した周辺の移動局装置１１０では、特定信号受信制御部１１３にて特定信号の受信処理を行われ、特定信号を受信したことが警告音発生部１１４に伝えられる。警告音発生部１１４は、特定信号受信制御部１１３から受けた信号によって警告音を発生し、当該移動局装置１１０の使用者に対し周辺に撮影実行者が存在することを知らせる。  【選択図】      図１
2005333217.tif 000002
【特許請求の範囲】
【請求項１】
撮影機能の操作を検出する手段と、前記撮影機能の操作に応答して前記特定信号を無線送信する手段と、を具備することを特徴とする移動局装置。
【請求項２】
無線受信した信号から撮影機能の操作が行われたことを示す特定信号の受信処理を行う手段と、前記特定信号を受信したことを少なくとも所持者に知らせる報知手段と、を具備することを特徴とする移動局装置。
【請求項３】
前記特定信号の受信を確認し送信側に返信する操作を行う手段と、前記返信された特定信号を無線送信する手段と、を具備することを特徴とする請求項２記載の移動局装置。
【請求項４】
前記特定信号の受信処理を行う手段に使用可否を設定できる手段、を具備することを特徴とする請求項２又は請求項３記載の移動局装置。
【請求項５】
前記特定信号の受信処理を行う手段の使用可否情報を基地局装置から取得する手段と、前記使用可否情報の内容に従って前記特定信号の受信処理を行う手段に対して使用可否の設定を行う手段と、を具備することを特徴とする請求項２から請求項４のいずれかに記載の移動局装置。
【請求項６】
所持できるだけでなく、適宜な場所に固定的に配置できる装置であって、請求項１記載の移動局装置が無線送信する特定信号を受信処理する手段と、前記特定信号を受信したことを知らせる手段と、を具備することを特徴とする報知装置。
【請求項７】
請求項１から請求項５のいずれかに記載の移動局装置と、請求項６に記載の報知装置とは、基地局を介して無線接続されることを特徴とする無線通信システム。
【発明の詳細な説明】
【技術分野】
【０００１】
本発明は、移動局装置、報知装置及び無線通信システムに関する。
【背景技術】
【０００２】
近年、移動局装置では、ディジタルカメラ装置が組み込まれ、撮った写真をディジタル画像データに変換し簡単な操作で直ちに通話相手に送信できるようになっている。一方、モラルの無い一部の異常者による盗撮行為が社会問題になっている。
【０００３】
そこで、例えば、特許文献１では、撮影機能付き移動局装置が折り畳み式であるという特徴を利用して、折り畳み式移動局装置の開閉状態に応じて撮影不可能となるように制御し、撮影不可能状態で撮影を行うと警告音によって撮影失敗を知らせる。また、同時に付属するサブディスプレイ装置を発光させ撮影した旨を周辺にいる人々に報知することで、盗撮阻止もしくは抑止することを可能にする技術が開示されている。
【特許文献１】特開２００２−３０５５６６号公報
【発明の開示】
【発明が解決しようとする課題】
【０００４】
しかしながら、従来の撮影機能付き移動局装置では、被写体である撮影される人物への報知手段は、撮影実行者が持つ撮影機能付き移動局装置に発生させる警告音や、撮影実行者が持つ前記移動局装置に付属するサブディスプレイ装置の発光であるので、騒音が大きい人混みの中や、サブディスプレイ装置が手などで覆われる場合には、周辺の人々は撮影実行者の行動に気づきにくいという問題がある。
【０００５】
本発明は、かかる点に鑑みてなされたものであり、撮影機能の操作を実行する者の存在を周辺の人々に知らせることができる移動局装置、報知装置および無線通信システムを提供することを目的とする。
【課題を解決するための手段】
【０００６】
かかる課題を解決するため、本発明の移動局装置は、撮影機能の操作を検出する手段と、前記撮影機能の操作に応答して前記特定信号を無線送信する手段と、を具備する構成を採る。
【０００７】
この構成によれば、撮影機能の操作が行われると、そのことを示す特定信号を無線送信することができ、撮影機能付き移動局装置の所持者が盗撮行為をするのを防止ないしは阻止することができる。
【０００８】
本発明の移動局装置は、無線受信した信号から撮影機能の操作が行われたことを示す特定信号の受信処理を行う手段と、前記特定信号を受信したことを少なくとも所持者に知らせる報知手段と、を具備する構成を採る。
【０００９】
この構成によれば、少なくとも当該移動局装置の所持者は、他の移動局装置にて撮影機能の操作が実行されることを知ることができ、撮影機能付き移動局装置の所持者が盗撮行為をするのを防止ないしは阻止することができる。
【００１０】
本発明の移動局装置は、上記の発明において、前記特定信号の受信を確認し送信側に返信する操作を行う手段と、前記返信された特定信号を無線送信する手段と、を具備する構成を採る。
【００１１】
この構成によれば、特定信号を受信した移動局装置の所持者は、撮影機能操作実行者に対して、その撮影機能操作実行者の存在を確認している旨を知らせることができる。
【００１２】
本発明の移動局装置は、上記の発明において、前記特定信号の受信処理を行う手段に使用可否を設定できる手段、を具備する構成を採る。
【００１３】
この構成によれば、移動局装置の所持者は、特定信号の受信処理を行うか否かを設定することができるので、当該移動局装置の電池消耗を防ぐことができる。
【００１４】
本発明の移動局装置は、上記の発明において、前記特定信号の受信処理を行う手段の使用可否情報を基地局装置から取得する手段と、前記使用可否情報の内容に従って前記特定信号の受信処理を行う手段に対して使用可否の設定を行う手段と、を具備する構成を採る。
【００１５】
この構成によれば、移動局装置の存在するエリアに応じて特定信号の受信処理を行うか否かを設定することができるので、限定されたエリア内に居る移動局装置の所持者に対してそのエリアに撮影機能操作実行者が存在することを知らせることができる。
【００１６】
本発明の報知装置は、所持できるだけでなく、適宜な場所に固定的に配置できる装置であって、上記移動局装置が無線送信する特定信号を受信処理する手段と、前記特定信号を受信したことを知らせる手段と、を具備する構成を採る。
【００１７】
この構成によれば、上記発明における撮影機能操作実行者の周囲に居る者が移動局装置を所持していない場合でも、周囲に撮影機能操作実行者が存在することを知ることができる。
【００１８】
本発明の無線通信システムは、上記移動局装置と、上記報知装置とは、基地局を介して無線接続される構成を採る。
【００１９】
この構成によれば、通常の移動通信システムを利用して撮影機能操作実行者の存在を周囲に居る人々に知らせることができる。
【発明の効果】
【００２０】
本発明によれば、撮影機能の操作を実行する者の存在を周辺の人々に知らせることができる移動局装置、報知装置および無線通信システムを提供することができ、撮影機能付き移動局装置の所持者が盗撮行為をするのを防止ないしは阻止することができる。
【発明を実施するための最良の形態】
【００２１】
本発明の骨子は、撮影実行者が撮影機能を利用する場合にその撮影操作が行われることを示す特定信号を送信し、周辺の人々がその特定信号を受信して周辺に撮影実行者が存在することを知ることができるようにすることである。
【００２２】
以下、本発明の実施の形態について図面を参照して詳細に説明する。
【００２３】
（実施の形態１）
図１は、本発明の実施の形態１に係る移動局装置を備える無線通信システムの構成を示すブロック図である。図１に示す無線通信システムは、撮影実行者が使用する移動局装置１００と、撮影実行者の周辺に位置する他の使用者が使用する移動局装置１１０とが図示しない基地局を介して無線接続される構成である。
【００２４】
撮影実行者が使用する移動局装置１００は、通話機能や情報通信機能を実現するための送受信機からなる通信機能部１０２と、ディジタル・カメラ装置を動作させるための制御装置やプログラム媒体を含む撮影機能部１０３と、特定信号の送信処理を行う特定信号送信制御部１０４と、通話や情報通信の電波の送受信や前記特定信号の送信を行うアンテナ１０５とを備えている。
【００２５】
また、撮影実行者の周辺に位置する他の使用者が使用する移動局装置１１０は、通話機能や情報通信機能を実現するための送受信機からなる通信機能部１１２と、特定信号の受信処理を行う特定信号受信制御部１１３と、特定信号を受信したことを知らせる報知手段である警告音発生部１１４と、通話や情報通信の電波の送受信や前記特定信号の受信を行うアンテナ１１５とを備えている。
【００２６】
図１を参照しつつ図２に沿って、以上のように構成された無線通信システムにおける各移動局装置の動作について説明する。図２は、図１に示す２つの移動局装置の動作を説明するフローチャートである。
【００２７】
図２において、ステップＳ２００からステップＳ２０１までは撮影実行者側の移動局装置１００での動作を示し、ステップＳ２０２からステップＳ２０３までは周辺の移動局装置１１０での動作を示している。
【００２８】
まず、撮影実行者側の移動局装置１００では、撮影実行者が付属するディジタル・カメラ装置の撮影機能部１０３を操作するのを監視し（ステップＳ２００）、撮影実行者が撮影機能部１０３を用いて撮影実行を検知すると（ステップＳ２００：Ｙｅｓ）、撮影機能部１０３が特定信号送信制御部１０４に信号を送り、特定信号送信制御部１０４に特定信号の生成や送信制御を行わせる（ステップＳ２０１）。特定信号はアンテナ１０５から一回送信される。
【００２９】
この特定信号は、図示しない基地局装置や無線ネットワーク制御装置にて構成される無線通信システム（以下セルラーシステムと記述する）を介して伝送され、撮影実行者の周辺にいる他の使用者が使用する移動局装置１１０のアンテナ１１５に受信される。
【００３０】
特定信号を受信した周辺の移動局装置１１０では、特定信号受信制御部１１３にて特定信号の受信処理を行われ、特定信号を受信したことが警告音発生部１１４に伝えられる（ステップＳ２０２）。警告音発生部１１４は、特定信号受信制御部１１３から受けた信号によって警告音を発生し、当該移動局装置１１０の使用者に対し周辺に撮影実行者が存在することを知らせる（ステップＳ２０３）。
【００３１】
このように、本実施の形態１によれば、撮影実行者が使用する移動局装置の撮影機能を利用する場合にそれを示す特定信号を送信する手段を設け、他の使用者が使用する移動局装置に前記特定信号を受信するとその特定信号を受信したことを使用者に警告音によって知らせる手段を設けたので、他の使用者は周辺に撮影実行者が存在することを知ることができ、盗撮行動に対する防止や阻止を行うことができる。
【００３２】
（実施の形態２）
図３は、本発明の実施の形態２に係る移動局装置を備える無線通信システムの構成を示すブロック図である。なお、図３では、図１に示した構成要素と同一ないしは同等である構成には、同一の符号が付されている。ここでは、実施の形態２に関わる部分を中心に説明する。
【００３３】
図３に示すように、本実施の形態２では、図１に示した構成において、移動局装置１００に代えて移動局装置３００が設けられ、移動局装置１１０に代えて移動局装置３１０が設けられている。
【００３４】
撮影実行者が使用する移動局装置３００は、図１に示した移動局装置１００において、特定信号送信制御部１０４に代えて特定信号送受信制御部３０１が設けられ、また、警報音発生部３０２が追加されている。特定信号送受信制御部３０１は、特定信号の送受信処理を行う。警報音発生部３０２は、他の使用者が送信する特定信号を受信したことを撮影実行者に知らせる。
【００３５】
また、周辺に居る他の使用者が使用する移動局装置３１０では、図１に示した移動局装置１１０において、特定信号受信制御部１１３に代えて特定信号送受信制御部３１１が設けられ、また、確認操作部３１２が追加されている。特定信号送受信制御部３１１は、特定信号の送受信処理を行う。確認操作部３１２は、前記特定信号の受信を確認しその旨を撮影実行者に送信することを行う操作手段である。
【００３６】
図３を参照しつつ図４に沿って、以上のように構成された無線通信システムにおける各移動局装置の動作について説明する。図４は、図３に示す２つの移動局装置の動作を説明するフローチャートである。
【００３７】
図４において、ステップＳ４００からステップＳ４０１及びステップＳ４０６からステップＳ４０７までは撮影実行者側の移動局装置３００での動作を示し、ステップＳ４０２からステップＳ４０５までは周辺の移動局装置３１０での動作を示している。
【００３８】
まず、撮影実行者が移動局装置３００を用いて撮影機能を利用する場合に特定信号を一回送信し、特定信号がセルラーシステムを介して伝送され、周辺の他の使用者が使用する移動局装置３１０が特定信号を受信して警告音を発生させるまでの動作（ステップＳ４００からステップＳ４０３）は実施の形態１（図２：ステップＳ２００からステップＳ２０３）と同様である。
【００３９】
他の使用者が、警告音を聞いて周辺に撮影実行者が存在することを確認したことを撮影実行者に通知するために、特定信号を送信するように確認操作部３１２を操作すると（ステップＳ４０４）、その周辺の移動局装置３１０の特定信号送受信制御部３１１では、特定信号の生成、送信処理が行われ、アンテナ１１５から特定信号が一回送信される（ステップＳ４０５）。
【００４０】
その後、当該特定信号はセルラーシステムを介して伝送され、撮影実行者が使用する移動局装置３００に受信される。
【００４１】
特定信号を受信した撮影実行者側の移動局装置３００では、特定信号送受信制御部３０１にて特定信号の受信処理を行われ、特定信号を受信したことが警告音発生部３０２に伝えられる（ステップＳ４０６）。警告音発生部３０２は、特定信号送受信制御部３０１から受けた信号によって警告音を発生し、当該移動局装置３００の使用者に対し他の使用者が撮影実行者の存在を確認していることを知らせる。（ステップＳ４０７）。
【００４２】
このように、本実施の形態２によれば、実施の形態１と同様に、撮影実行者が使用する移動局装置に撮影機能を利用する場合に特定信号を送信する手段を設け、他の使用者が使用する移動局装置に前記特定信号を受信するとその特定信号を受信したことを使用者に警告音によって知らせる手段を設けるのに加えて、他の使用者が使用する移動局装置に撮影実行者の存在を確認した旨を撮影実行者に知らせる特定信号を送信する手段を設け、撮影実行者が使用する移動局装置に他の使用者が使用する移動局装置からの特定信号を受信して撮影実行者に警告音によって知らせる手段を設けたので、実施の形態１と同様に他の使用者は周辺に撮影実行者が存在することを知ることができ、盗撮行動に対する防止や阻止を行うことができる。加えて、撮影実行者は他の使用者に自らの存在を知られていることを知るので、撮影実行者に盗撮行動を止めさせることができる。
【００４３】
（実施の形態３）
図５は、本発明の実施の形態３に係る移動局装置を備える無線通信システムの構成を示すブロック図である。なお、図５では、図１に示した構成要素と同一ないしは同等である構成には、同一の符号が付されている。ここでは、実施の形態３に関わる部分を中心に説明する。
【００４４】
図５に示すように、本実施の形態３では、図１に示した構成に対して、移動局装置１１０に代えて移動局装置５１０が設けられている。撮影実行者の周辺に居る他の使用者が使用する移動局装置５１０は、図１に示した移動局装置１１０に対して、選択部５１１が追加され、また、特定信号受信制御部１１３に代えて特定信号受信制御部５１２が設けられている。
【００４５】
選択部５１１は、特定信号受信制御部５１２の使用可否を使用者が選択設定することができるようになっている。特定信号受信制御部５１２は、選択部５１１での設定内容を判断し、設定が「使用可」であるときに特定信号の受信処理を行い、警報音発生部１１４を駆動するようになっている。一方、「使用否」であるときは特定信号の受信処理を行わない。
【００４６】
図５を参照しつつ図６に沿って、以上のように構成された無線通信システムにおける各移動局装置の動作について説明する。図６は、図５に示す２つの移動局装置の動作を説明するフローチャートである。
【００４７】
図６において、ステップＳ６０１からステップＳ６０２までは撮影実行者側の移動局装置１００での動作を示し、ステップＳ６０３からステップＳ６０５は周辺の移動局装置５１０での動作を示している。
【００４８】
周辺の移動局装置５１０では、その使用者は、選択部５１１を操作して、特定信号受信制御部５１２の使用可否を選択設定する（ステップＳ６００）。
【００４９】
撮影実行者側の移動局装置１００では、撮影実行者が付属するディジタル・カメラ装置の撮影機能部１０３を操作するのを監視し（ステップＳ６０１）、撮影実行者が撮影機能部１０３を用いて撮影実行を検知すると（ステップＳ６０１：Ｙｅｓ）、撮影機能部１０３が特定信号送信制御部１０４に信号を送り、特定信号送信制御部１０４に特定信号の生成や送信制御を行わせる（ステップＳ６０２）。特定信号はアンテナ１０５から一回送信される。
【００５０】
この特定信号は、セルラーシステムを介して伝送され、撮影実行者の周辺にいる他の使用者が使用する移動局装置５１０のアンテナ１１５に受信される。
【００５１】
特定信号を受信した周辺の移動局装置５１０の特定信号受信制御部５１２では、選択部５１１での設定内容を判断し（ステップＳ６０３）、設定が「使用可（受信ＯＮ）」であるときに（ステップＳ６０３：Ｙｅｓ）特定信号の受信処理を行い、警報音発生部１１４に特定信号の受信を知らせる（ステップＳ６０４）。警告音発生部１１４は、特定信号受信制御部５１２から受けた信号によって警告音を発生し、当該移動局装置５１０の使用者に対し周辺に撮影実行者が存在することを知らせる（ステップＳ６０５）。
【００５２】
このように、実施の形態３によれば、実施の形態１と同様に撮影実行者の盗撮行動に対する防止や阻止をすることができるのに加えて、特定信号の受信を行うか否かを使用者は設定することができるようにしたので、使用否に設定したときは撮影実行者の撮影機能の利用に対して受信制御部や警告音発生部は反応することがなく、撮影実行者の周辺に居る使用者が使用する移動局装置の電池の消耗を防ぐことができる。
【００５３】
（実施の形態４）
図７は、本発明の実施の形態４に係る移動局装置を備える無線通信システムの構成を示すブロック図である。なお、図７では、図１に示した構成要素と同一ないしは同等である構成には、同一の符号が付されている。ここでは、実施の形態４に関わる部分を中心に説明する。
【００５４】
図７に示すように、本実施の形態４では、図１に示した構成に対して、移動局装置１１０に代えて移動局装置７１０が設けられている。撮影実行者の周辺に居る他の使用者が使用する移動局装置７１０は、図１に示した移動局装置１１０に対して、受信制御使用可否情報受信部７１１と使用可否制御部７１２とが追加され、また、特定信号受信制御部１１３に代えて特定信号受信制御部７１３が設けられている。
【００５５】
受信制御使用可否情報受信部７１１は、図示しない基地局が送信する受信制御使用可否情報を受信し、その受信制御使用可否情報の内容を使用可否制御部７１２に伝える。この受信制御使用可否情報には“現エリアでは、撮影実行者が存在する場合は特定信号を受信できるように設定する”または“現エリアでは、特定信号を受信できるように設定しない”という情報が含まれている。
【００５６】
使用可否制御部７１２は受信制御使用可否情報の内容に従って、特定信号受信制御部７１３を「使用可」または「使用否」の状態に設定する。特定信号受信制御部７１３は、使用可否制御部７１２の指示が「使用可」であるときは特定信号の受信処理を行い、警報音発生部１１４を駆動する。一方、「使用否」であるときは特定信号の受信処理を行わない。
【００５７】
図７を参照しつつ図８に沿って、以上のように構成された無線通信システムにおける各移動局装置の動作について説明する。図８は、図７に示す２つの移動局装置の動作を説明するフローチャートである。
【００５８】
図８において、ステップＳ８０１からステップＳ８０２までは撮影実行者側の移動局装置１００での動作を示し、ステップＳ８００及びステップＳ８０３からステップＳ８０５は周辺使用者側の移動局装置７１０での動作を示している。
【００５９】
まず、周辺使用者側の移動局装置７１０において、予め基地局装置から送信される受信制御使用可否情報を受信制御使用可否情報受信部７１１にて受信し、その受信制御使用可否情報の内容を使用可否制御部７１２に伝え、使用可否制御部７１２にて特定信号受信制御部７１３を「使用可」または「使用否」に設定しておく（ステップＳ８００）。ここでは、受信制御使用可否情報の内容として“現エリアでは、撮影実行者が存在する場合は特定信号を受信できるように設定する”が示されているとし、使用可否制御部７１２にて特定信号受信制御部７１３を「使用可」に設定しておくとする。
【００６０】
撮影実行者側の移動局装置１００では、撮影実行者が付属するディジタル・カメラ装置の撮影機能部１０３を操作するのを監視し（ステップＳ８０１）、撮影実行者が撮影機能部１０３を用いて撮影実行を検知すると（ステップＳ８０１：Ｙｅｓ）、撮影機能部１０３が特定信号送信制御部１０４に信号を送り、特定信号送信制御部１０４に特定信号の生成や送信制御を行わせる（ステップＳ８０２）。特定信号はアンテナ１０５から一回送信される。
【００６１】
この特定信号は、セルラーシステムを介して伝送され、撮影実行者の周辺にいる他の使用者が使用する移動局装置７１０のアンテナ１１５に受信される。
【００６２】
特定信号を受信した周辺の移動局装置７１０の特定信号受信制御部７１３では、使用可否制御部７１２の指示内容を判断し（ステップＳ８０３）、指示内容が「使用可（受信ＯＮ）」であるときに（ステップＳ８０３：Ｙｅｓ）特定信号の受信処理を行い警報音発生部１１４に特定信号の受信を知らせる（ステップＳ８０４）。警告音発生部１１４は、特定信号受信制御部７１３から受けた信号によって警告音を発生し、当該移動局装置７１０の使用者に対し周辺に撮影実行者が存在することを知らせる（ステップＳ８０５）。
【００６３】
このように、実施の形態４によれば、実施の形態１と同様に撮影実行者の盗撮行動に対する防止や阻止をすることができるのに加えて、盗撮の頻度が高いエリアや人の集まる時間帯など必要に応じて基地局装置が送信する受信制御部使用可否情報を撮影実行者の周辺に居る使用者が使用する移動局装置が受信し、その内容によって自移動局装置における特定信号の受信手段を起動させ、前記エリア内にいる使用者は周辺に撮影実行者が存在することを知ることができる。また、限定されたエリアのみ特定信号の受信手段を起動させるので、撮影実行者の周辺に居ない使用者が使用する移動局装置の電池の消耗を防ぐことができる。
【００６４】
（実施の形態５）
図９は、本発明の実施の形態５に係る報知装置を備える無線通信システムの構成を示すブロック図である。なお、図９では、図１に示した構成要素と同一ないしは同等である構成には、同一の符号が付されている。ここでは、実施の形態５に関わる部分を中心に説明する。
【００６５】
図９に示すように、本実施の形態５では、図１に示した構成において、移動局装置１１０に代えて報知装置９１０が設けられている。報知装置９１０は、通話や情報通信の電波の送受信や前記特定信号の受信を行うアンテナ９２２と、特定信号の受信処理を行う特定信号受信制御部９２３と、特定信号を受信し周辺に撮影実行者が存在することを文字情報で表す表示部９２４とを備えている。
【００６６】
このように、報知装置９１０は、実施の形態１〜４にて示した移動局装置が有するような通信機能を有さない装置である。この報知装置９１０は、撮影実行者の周辺に居る他の使用者が所持しなくてもよいが、ここでは、図９に示すように、例えば複数の街灯などに設置する場合を想定している。
【００６７】
図９を参照しつつ図１０に沿って、以上のように構成された無線通信システムにおける各移動局装置の動作について説明する。図１０は、図９に示す移動局装置と報知装置との動作を説明するフローチャートである。
【００６８】
図９において、撮影実行者側の移動局装置１００では、撮影実行者が付属するディジタル・カメラ装置の撮影機能部１０３を操作するのを監視し（ステップＳ１０００）、撮影実行者が撮影機能部１０３を用いて撮影実行を検知すると（ステップＳ１０００：Ｙｅｓ）、撮影機能部１０３が特定信号送信制御部１０４に信号を送り、特定信号送信制御部１０４に特定信号の生成や送信制御を行わせる（ステップＳ１００１）。特定信号はアンテナ１０５から一回送信される。
【００６９】
この特定信号は、セルラーシステムを介して伝送され、撮影実行者の周辺に設置されてい報知装置９１０のアンテナ９２２に受信される。
【００７０】
特定信号を受信した報知装置９１０の特定信号受信制御部９２３では、特定信号の受信処理を行い、特定信号を受信したことを表示部９２４に伝えるための信号を生成する（ステップＳ１００２）。表示部９２４では、特定信号受信制御部９２３から受け取った信号によって、文字情報を用いて周辺に居る人々に撮影実行者が存在することを知らせる（ステップＳ１００３）。
【００７１】
このように、実施の形態５によれば、特定信号を受信すると撮影者が周辺に存在することを文字情報で表示する報知装置を設けたので、撮影実行者が存在することを文字情報で撮影実行者の周辺に居る人々に知らせることができる。したがって、撮影実行者の周辺に居る人々は、移動局装置を所持していない場合でも周辺に撮影実行者が存在することを知ることができ、盗撮行動に対する防止や阻止をすることができる。
【００７２】
なお、実施の形態１から４では、他の使用者または撮影実行者が使用する移動局装置内の特定信号を受信したことを知らせる報知手段として警告音による場合を例に挙げて説明したが、マナーモード時に利用されるモーターの振動や、移動局装置が備えるディスプレイなどの表示装置を用いるようにしてもよい。
【００７３】
また、実施の形態５では、特定信号を受信したことを示す表示手段として文字情報の表示部を例に挙げて説明したが、照明装置など視覚情報として提供できる装置を表示手段として用いてもよいことは言うまでもない。
【００７４】
さらに、実施の形態５では、特定信号を受信したことを示す表示手段の代わりに、警告音発生部などの報知手段を用いてもよい。
【００７５】
加えて、上記各実施の形態では、特定信号の送信手段として、撮影機能を利用する場合に一回特定信号を送信すると説明したが、特定信号は、撮影機能利用中は常に送信する、もしくは撮影機能利用中に一定の周期で送信するようにしてもよい。また、特定信号の受信制御およびそれに伴う警告発生についても、複数回、連続あるいは間欠実施の組み合わせが実施可能であり、同様の効果を得ることができる。
【００７６】
また、上記各実施の形態では、特定信号の伝送はセルラーシステムを介して行われている場合を説明したが、特定信号の送信手段及び受信手段は無線タグやＢｌｕｅｔｏｏｔｈなど近距離無線通信技術を用いた装置で構成することにより、移動局装置間や移動局装置と報知装置の間で直接特定信号の伝送を行う、もしくは前記近距離無線通信技術を用いた装置を含む他の装置を介して特定信号の伝送を行うことでもよい。これによれば、低消費電力・小型・安価という利点があるので、通信時間の増大や小型化がは図られる移動局装置もしくは報知装置への搭載が容易となる。
【００７７】
また、上記各実施の形態では、撮影機能付き移動局装置において、特定信号を用いて撮影機能を利用することを周辺の人々が持つ移動局装置に知らせる場合を説明したが、移動局装置に撮影機能が具備されていなくともよい。例えば、具備されているゲーム機能における対戦相手の募集を行う場合や装置内に保存されている開示可能な個人情報等を周辺の人々が持つ移動局装置に知らせる場合も同様に本発明を適用することができる。
【産業上の利用可能性】
【００７８】
本発明は、撮影機能の操作を実行する者の存在を周辺の人々に知らせるのに有用であり、特に撮影機能付き移動局装置の所持者が盗撮行為をするのを防止ないしは阻止するのに好適である。
【図面の簡単な説明】
【００７９】
【図１】本発明の実施の形態１に係る移動局装置を備える無線通信システムの構成を示すブロック図
【図２】図１に示す２つの移動局装置の動作を説明するフローチャート
【図３】本発明の実施の形態２に係る移動局装置を備える無線通信システムの構成を示すブロック図
【図４】図３に示す２つの移動局装置の動作を説明するフローチャート
【図５】本発明の実施の形態３に係る移動局装置を備える無線通信システムの構成を示すブロック図
【図６】図５に示す２つの移動局装置の動作を説明するフローチャート
【図７】本発明の実施の形態４に係る移動局装置を備える無線通信システムの構成を示すブロック図
【図８】図７に示す２つの移動局装置の動作を説明するフローチャート
【図９】本発明の実施の形態５に係る報知装置を備える無線通信システムの構成を示すブロック図
【図１０】図９に示す移動局装置と報知装置との動作を説明するフローチャート
【符号の説明】
【００８０】
１００、１１０、３００、３１０、５１０、７１０  移動局装置
１０２、１１２  通信機能部
１０３  撮影機能部
１０４  特定信号送信制御部
１０５、１１５、９２２  アンテナ
１１３、５１２、７１３、９２３  特定信号受信制御部
１１４、３０２  警告音発生部
３０１、３１１  特定信号送受信制御部
３１２  確認操作部
５１１  選択部
７１１  受信制御使用可否情報受信部
７１２  使用可否制御部
９２４  表示部
【図１】
2005333217.tif 000003
【図２】
2005333217.tif 000004
【図３】
2005333217.tif 000005
【図４】
2005333217.tif 000006
【図５】
2005333217.tif 000007
【図６】
2005333217.tif 000008
【図７】
2005333217.tif 000009
【図８】
2005333217.tif 000010
【図９】
2005333217.tif 000011
【図１０】
2005333217.tif 000012